(57)【特許請求の範囲】
【請求項１】
所定面積の平坦な着地面を形成するための、連結部を介して接続される複数のマットからなり、着地面は使用時に平坦に展張されるとともに、不使用時には連結部により順次折り畳み、あるいは連結部により分解してコンパクト化して収納するようにしたことを特徴とする簡易ヘリポート。
【請求項２】
所定面積の平坦な着地面を形成するための、連結部を介して接続される複数のマットと、着地面周縁部に載置されるところの複数のウエイトプレートとからなり、着地面は使用時に平坦に展張されるとともに、不使用時には連結部により順次折り畳み、あるいは連結部により分解してコンパクト化して収納するようにしたことを特徴とする簡易ヘリポート。
【請求項３】
ウエイトプレートは、鉄板等のある程度の重量を有するとともに、その一部に把手が取り付けられているところの請求項２に記載の簡易ヘリポート。
【請求項４】
ウエイトプレートは、鉄板等のある程度の重量を有するとともに、その一部に把手が取り付けられ、しかもその適所に光学照射装置取り付け穴が形成されているところの請求項２に記載の簡易ヘリポート。
【請求項５】
所定面積の平坦な着地面を形成するための、連結部を介して接続される複数のマットと、着地面周辺端部に載置されるところの複数のウエイトプレートと、着地面又はウエイトプレートに取り付けられるところの、天空に向けて点滅する光学照射装置とからなり、着地面は使用時に平坦に展張されるとともに、不使用時には連結部により順次折り畳み、あるいは連結部により分解してコンパクト化して収納するようにしたことを特徴とする簡易ヘリポート。
【請求項６】
複数のマットにより構成された着地面の複数箇所には、ペグを打ち込むためのペグ穴が設けられているところの、請求項１又は２に記載の簡易ヘリポート。
【請求項７】
着地面を構成する複数のマットには、電気的配線が施されているところの、請求項５に記載の簡易ヘリポート。
【請求項８】
着地面を構成する複数のマットは、それぞれウレタンその他の軽量発泡材をシート地で被覆したものであるところの請求項１又は２又は５に記載の簡易ヘリポート。
【請求項９】
着地面を構成するべく接続されるマットの連結部は、マットの端面の少なくとも一部に形成された接続手段により、相互に接続・分離自在に構成されているところの請求項１又は２又は５に記載の簡易ヘリポート。
【請求項１０】
着地面を構成するべく接続されるマットの連結部は、マットの端面の一部を相互に重ね合わせるとともに、該重ね合わせ部分にペグ穴を設け、このペグ穴にペグを打ち込み、あるいは抜き去ることにより相互に接続・分離できるようにしたところの請求項１又は２又は５に記載の簡易ヘリポート。
【発明の詳細な説明】
【０００１】
【発明の属する技術分野】
本発明は、ヘリコプターの離着陸飛行訓練や、大規模火災あるいは震災その他の非常災害時において、救助活動の基地として、また救援物資輸送のために臨時的にヘリコプターを離着陸させるための簡易ヘリポートに関し、非常時に適当な空き地や校庭、あるいは田畑等の平坦地に簡易かつ迅速に臨時ヘリポートを開設することを可能とする。
【０００２】
【従来の技術】
大規模火災や震災の発生直後における救助活動や救援物資の輸送にはヘリコプターを用いるのが最も迅速かつ効率的ではあるが、火災や震災発生現場付近に空き地や校庭、あるいは田畑等があっても避難民や救助車両等が散在し、ヘリコプターが緊急に離着陸できる安全なスペースを確保することは難しい。  そのために多くの場合、救助用あるいは救援物資輸送用の緊急車両を用いることが一般的におこなわれている。
【０００３】
【発明が解決しようとする課題】
しかしながら、緊急車両を用いる場合には、多くの避難民や避難車両あるいは他の救助車両等により災害現場に通じる幹線道路が著しく渋滞し、また災害現場に通じる道路そのものが亀裂や落橋により通行が不能となることも多いところから、救助活動や救援物資の輸送が大幅に遅延することが多い。
【０００４】
【課題を解決するための手段】
そこで本発明にあっては、上記した従来技術における課題を解決し、迅速な救助や救援活動の実施が可能なヘリコプターを使用し、災害現場に通じる道路の亀裂や落橋による通行不能や渋滞発生に関係なく、迅速に災害現場に到着することができるようにしたものであって、具体的には所定面積の平坦な着地面を形成するための、連結部を介して接続される複数のマットからなり、着地面は使用時に平坦に展張されるとともに、不使用時には連結部により順次折り畳み、あるいは連結部により分解してコンパクト化して収納するようにしたことを特徴とする簡易ヘリポートに関する。
【０００５】
また本発明は、所定面積の平坦な着地面を形成するための、連結部を介して接続される複数のマットと、着地面周縁部に載置されるところの複数のウエイトプレートとからなり、着地面は使用時に平坦に展張されるとともに、不使用時には連結部により順次折り畳み、あるいは連結部により分解してコンパクト化して収納するようにしたことを特徴とする簡易ヘリポートにも関する。
【０００６】
さらに本発明は、所定面積の平坦な着地面を形成するための、連結部を介して接続される複数のマットと、着地面周縁部に載置されるところの複数のウエイトプレートと、着地面又はウエイトプレートに取り付けられるところの、天空に向けて点滅する光学照射装置とからなり、着地面は使用時に平坦に展張されるとともに、不使用時には連結部により順次折り畳み、あるいは連結部により分解してコンパクト化して収納するようにしたことを特徴とする簡易ヘリポートにも関する。
【０００７】
さらに本発明は、必要に応じて、着地面を構成する複数のマットに、着地面の複数箇所にペグを打ち込むためのペグ穴を形成し、また電気的配線を施し、また上記した複数のマットは、それぞれウレタンその他の軽量発泡材をシート地で被覆構成する。  さらにマットの連結部は、マットの端面の少なくとも一部に形成されたファスナー等の接続手段により、あるいはマットの端部を相互に重ね合わせ、しかも該重ね合わせ部分にペグを打ち込んで相互に接続し、あるいは分離することができるように構成し、これにより着地面は使用時に平坦に展張されるとともに、不使用時には連結部により順次折り畳み、あるいは連結部により分解してコンパクト化して収納するようにしたことを特徴とする簡易ヘリポートに関する。
【０００８】
非常時に、マットを災害発生現場に近い空き地や校庭等の平坦地において、連結部を介して接続された複数のマットをそれぞれ展張し、必要に応じて着地面周辺端部（周縁部）の適当箇所にウエイトプレートを載置し、あるいはマットの各ペグ穴にペグを打ち込んでマットを固定させ、また光学的照射装置を有する場合には、これをマット又は上記したウエイトプレートの光学照射装置取り付け穴に取り付けて作動させ、天空に向けて点滅させ、飛来するヘリコプターに対してヘリポートの存在を的確にアピールするようにする。
【０００９】
またこの場合、上記した光学的照射装置用の電源を必要とする場合には、マット内に埋設された電気的配線に、一般家庭用のＡＣ電源又はＤＣバッテリー電源を接続させるとともに、マットの接続手段を操作して各連結されているマットを分離して収納し、あるいは反対に相互に連結させて、所定広さのヘリポートを完成させる。
【００１０】
【発明の実施の形態】
以下において、本発明の具体的な内容を図示の実施例をもとに説明すると、図１には簡易ヘリポート１の全体平面があらわされている。  この簡易ヘリポート１は、複数のマット２を縦横に連結させて構成されており、各マット２は図３にあらわしたように、方形をなした２個宛のマット２．２を、縫製部３を介して折り曲げ自在に連結させて１個のブロックを構成するとともに、各ブロックをさらにファスナー等の接続手段４により相互に接続・分離自在とされ、これにより折り曲げ自在で、かつ必要に応じて切り離し自在に構成されており、上記した各ブロックを接続手段４により縦横に相互に接続させることにより、所定面積の平坦な着地面５を形成する。
【００１１】
なお上記したマット２については、本実施例の場合図３にあらわしたように、所定厚みのウレタンフォーム２ａを布製のシート地２ｂにて被覆したものを用いるようにしているが、必ずしもこれに限られるものではなく、このほかに厚手のナイロンあるいはビニール地等の合成樹脂材を用いたもの、あるいはゴム板や幌布シート等であってもよい。  またここで使用される接続手段４としては、前記したファスナーのほか、マジックテープ、あるいは一方に円環状の止め金具を取り付けるとともに、他方にこの止め金具に係止可能なフックを取り付けて、これらを相互に結合させる構造の、所謂円環とフックによる結合部品を用いたもの、その他種々の汎用されている接続手段を用いることができる。
【００１２】
さらに平坦な着地面を形成する簡易ヘリポート１の外周縁に位置するマット２の端部には被覆地２ｂを厚手のものとし、この厚手の被覆地の内部には、例えばＡＣ／ＤＣ５００Ｗ程度の電気的配線６が施され、さらにその外周側端縁部には着地面５を形成する簡易ヘリポート１が強風に煽られて浮揚しないように、例えばシート地７ａにより被覆された鉄板７が取り付けられ、しかも該鉄板７の適当箇所、および着地面５の中央部寄りに位置するマット２には、地中に打ち込むペグ８を取り付けるためのペグ穴９が設けられている。
【００１３】
また簡易ヘリポート１の構成を、より簡素化するためには上記した鉄板７の取り付けに代えて、簡易ヘリポート１の外周側端縁部上に、単に載置するだけのウエイトプレート１２を用いる。  このウエイトプレート１２の具体例としては、図６にあらわしたように、ある程度の厚みを有し、全体長さが約１メートル程度であって、しかも把手１３を取り付けるとともに、一部に光学的照射装置取り付け穴１４を開設したところの、重量約２５Ｋｇ〜５０Ｋｇ程度の鉄板、あるいは実質的にこれと同等に機能させることができる材質のものが選ばれる。
【００１４】
さらに着地面５の中央部には真円と、その中に施されたＨ字状のヘリポートマーク１０が形成され、また着地面５にはその周縁部であって、前記した鉄板７あるいは着地面５上の適当箇所に、一定間隔毎に天空に向けて点滅する光学照射装置１１が取り付けられている。  ここで用いられる光学照射装置１１の具体例としては、保持板１１ａと１１ｂとにより鉄板７を挟み、しかもボルト１１ｃにより締め付け固定されたストロボビーコンが用いられる。  上記した構成により、着地面は使用時に平坦に展張されるとともに、不使用時には連結部により順次折り畳み、あるいは連結部により分解してコンパクト化して収納できるようになっている。
【００１５】
上記した構成において、震災発生時等の緊急時に、災害発生箇所に近い校庭や空き地等の平坦な場所に簡易ヘリポートを敷設展張して、平坦な着地面５を確保するとともに、その周縁部や着地面５中央寄りの各ペグ穴９にペグ８を打ち込んでヘリポート１を固定させ、あるいは簡易ヘリポート１の周縁部における適当箇所に複数のウエイトプレート１２を載置してヘリポート１を固定させる。  また必要に応じて電気的配線を電源に接続するとともに、周縁部一定間隔毎に光学照射装置１１を取り付け、あるいはこの光学照射装置１１をウエイトプレート１２の光学的照射装置取り付け穴１４内に差し込み固定し、これを天空に向けて継続的に点滅させる。  また必要に応じてヘリポート１の近くに吹き流しを立てるようにしてもよい。
【００１６】
【発明の効果】
本発明は上記した通り、所定面積の平坦な着地面を形成するための、連結部を介して接続される複数のマットからなり、あるいは該マットと、その着地面に取り付けられるところの、天空に向けて点滅する光学照射装置とからなり、着地面は使用時に平坦に展張されるとともに、不使用時には連結部により順次折り畳み、あるいは連結部により分解してコンパクト化して収納するようにしたために、僻地においてヘリコプターの離着陸飛行訓練を実施する場合や、震災あるいは大規模火災発生時等において、非常時に適当な空き地や校庭、あるいは田畑等の平坦地に簡易かつ迅速に臨時ヘリポートを開設することができ、しかも天空に向けて点滅する光学照射装置を有するところから、ヘリポートの存在が明確に視認できる。
【００１７】
また、ウレタンその他の軽量発泡材をシート地で被覆した材料からなる複数のマットをもって着地面を構成するようにした場合においては、ヘリポートの展張・折り畳み、あるいは運搬が容易である。  さらに着地面を構成するべく接続されるマットの連結部は、マットの端面の少なくとも一部に形成されたファスナーやマジックテープその他の接続手段により、あるいはマット相互の重ね合わせ端面にペグを打ち込んで地面に固定する手段により、相互に接続・分離自在に構成されている場合においては、ヘリポートを複数の分割部品として構成することができ、そのために運搬や保管に便利である。  またヘリポートを構成する着地面の各部にペグを打ち込むようにした場合においては安定性が良好となり、強風やヘリコプターの離着陸時における風の煽りを受けて着地面が浮揚したりすることがなくなる。
【００１８】
さらに簡易ヘリポートの周縁部に、複数のウエイトプレートを載置するようにした場合には、いちいち着地面の各部にペグを打ち込む作業を不要とし、より簡単かつ迅速にヘリポートの開設を実施することができ、これにより一層の緊急性に対応することができる。
【図面の簡単な説明】
【図１】本発明の一実施例である簡易ヘリポートの平面図。
【図２】図１の簡易ヘリポートの側面図。
【図３】簡易ヘリポートを構成する複数のマットの結合状態をあらわした部分拡大断面図。
【図４】ヘリポートを構成する周囲鉄板に対するペグの打ち込み状態をあらわした部分拡大断面図。
【図５】ヘリポートを構成する周囲鉄板に、天空に向けて点滅する光学照射装置としてストロボビーコンを取り付ける場合の、その取り付け状態をあらわした部分拡大断面図。
【図６】ヘリポートの周縁部にウエイトプレートを載置した状態をあらわした要部斜視図。
【図７】本発明に係わる簡易ヘリポートの使用状態をあらわした斜視図。
【符号の説明】
１          簡易ヘリポート
２          マット
２ａ        ウレタンフォーム
２ｂ        被覆地
３          縫製部
４          接続手段
５          着地面
６          電気的配線
７          鉄板
７ａ        シート地
８          ペグ
９          ペグ穴
１０        ヘリポートマーク
１１        光学的照射装置
１１ａ      保持板
１１ｂ      保持板
１１ｃ      ボルト
１２        ウエイトプレート
１３        把手
１４        光学的照射装置取り付け穴
【図１】
0003760357.tif 000002
【図２】
0003760357.tif 000003
【図３】
0003760357.tif 000004
【図４】
0003760357.tif 000005
【図５】
0003760357.tif 000006
【図６】
0003760357.tif 000007
【図７】
0003760357.tif 000008